(57)【要約】【課題】光源以外の他の部品を取り外すことなく容易に光源の交換が行えて交換コストを抑えることができ、更には、小型化を図った照明器具を提供する。【解決手段】中空箱型の器具本体１Ａと、導光板６を有し、器具本体１Ａに設けられる第一の開口１０ａに取り付けられる表示パネル２と、器具本体１Ａに設けられる第二の開口１０ｂを介して器具本体１Ａ内に形成される収納部３と、第二の開口１０ｂを介して前記収納部３に着脱自在に収納されて、導光板６の少なくとも一辺に光を入射する一乃至複数のＬＥＤ１４を有するＬＥＤ基板４と、第二の開口１０ｂに開閉自在に設けられるカバー５とを備える。【選択図】図１
2010027513.tif 000002
【特許請求の範囲】
【請求項１】
中空箱型の器具本体と、
導光板を有し、器具本体に設けられる第一の開口に取り付けられる表示パネルと、
器具本体に設けられる第二の開口を介して器具本体内に形成される収納部と、
第二の開口を介して前記収納部に着脱自在に収納されて、導光板の少なくとも一辺に光を入射する一乃至複数のＬＥＤを有するＬＥＤ基板と、
第二の開口に開閉自在に設けられるカバーとを備えることを特徴とする照明器具。
【請求項２】
前記カバーにＬＥＤ基板が取り付けられ、当該カバーが第二の開口に覆設した際に、ＬＥＤ基板に設けられる接続部と、器具本体に設けられる接続部とが電気的に接続されることを特徴とする請求項１記載の照明器具。
【発明の詳細な説明】
【技術分野】
【０００１】
本発明は、照明器具に関するものである。
【背景技術】
【０００２】
従来から用いられる照明器具として、図７（ａ）、（ｂ）に示すような器具本体２１と、表示パネル２と、ランプユニット２３とを備えたものが提供されている。（例えば、特許文献１参照）。
【０００３】
以下、図７（ａ）における上下左右を基準として上下左右方向と直交する方向を前後方向とする。
【０００４】
器具本体２１は、前面に略矩形状の開口２２が設けられた矩形箱状に形成され、内部に図示しない電源供給用の電源端子部等が設けられている。ここで、開口２２は、表示パネル２が覆設される開口２２の下方部分（第一の開口２２ａ）と、ランプユニット２３が覆設される開口２２の上方部分（第二の開口２２ｂ）とに分けられる。
【０００５】
表示パネル２は、略矩形平板状に形成されて器具本体２１の第一の開口２２ａに覆設される。また表示パネル２は、前面側に絵柄面７を有し、絵柄面７の後面側に導光板６を備える。
【０００６】
ランプユニット２３は、ランプ２４と、ランプ２４の光を反射する反射板２５と、ランプ２３及び反射板２５を保持する外郭２６とから構成され（図８（ａ）（ｂ）参照）、器具本体２１の第二の開口２２ｂに覆設される。
【０００７】
ランプ２４は、所謂直管型のバルブに形成されて、その長手方向両端には、外部電源等に接続されて電力供給される導線３４がそれぞれ設けられている。そして、導線３４は、略Ｌ字状に折曲されて先端部３４ａが後方に向けて形成され、当該先端部３４ａがカシメ部材２８によって接続端子２７に接続される。また、接続端子２７は、導線３４と接続されてランプ２４の軸方向に垂直となる向きに形成されるカシメ部２７ａと、カシメ部２７ａの後端からランプ２４の軸方向と平行でランプ２４の内側方向へ延設される中央部２７ｂと、中央部２７ｂの端部から後方へ向けて延設される接続部２７ｃとから構成され、中央部２７ｂが、略Ｌ字状の溝を有する取り付け部材２９に支持固定されることで、ランプ２４と接続端子２７との間の強度が保たれる。
【０００８】
反射板２５は、断面略逆Ｕ字型の左右方向に長い長尺状に形成され、ランプ２４と外郭２６との間に配設される、
外郭２６は、前板２６ａと上板２６ｂと後板２６ｃとから断面略コの字型の左右方向に長い長尺状に形成され、左右方向端部にはそれぞれ略矩形状の端板２６ｄが設けられている（図８（ａ）、（ｂ）参照。なお、図８（ｂ）では、後板２６ｃを破断している）。そして、外郭２６の内面側左右方向両端近傍には、略直方体状のガイドベース３１が設けられており、ガイドベース３１の後面からは、後方へ向けてガイド３１ａが突設されている。ここで、ガイド３１ａは、外郭２６の後板２６ｃよりも後方に突出して形成される。加えて、外郭２６の内面側略中央には、補強用のリブ２６ｆが形成されている。また、外郭２６の内面側左右両端に、前記取り付け部材２９が各々下方より取り付けられることで、ランプ２４、及び反射板２５が、外郭２６内に支持固定される。
【０００９】
上記構成を備える照明器具において、ランプユニット２３を器具本体２１に組み付ける際には、まず、器具本体２１に表示パネル２を組み付けて、その後に、ランプユニット２３を取り付ける方法（図７（ａ）、（ｂ）参照）と、表示パネル２にランプユニット２３を組み付けた後に、当該表示パネル２とランプユニット２３とを組み合わせたものを器具本体２１に取り付ける方法とがある（図９（ａ）、（ｂ）参照）。
【００１０】
ランプユニット２３は、器具本体２１内部に設けられる図示しない係止部に、ガイド３１ａが係止されることで支持固定される。そして、ランプユニット２３のランプ２４は、導光板６の上端に対向して配設され、導光板６の上端から入射したランプ２４の光が、導光板６の内部を通り導光板６の前面側に設けられた絵柄面７を均一に照射し、絵柄面７を発光させる。
【特許文献１】特開２００７−３１１３２７号公報
【発明の開示】
【発明が解決しようとする課題】
【００１１】
上記従来例における照明器具では、ランプ２４（光源）を交換する際にランプ２４のみを取り外して交換することができず、ランプ２４以外の複数の部品を含んだランプユニット２３を交換しなければならず、交換コストがかかるという問題がある。
【００１２】
また、上記図９で示したような方法でランプユニット２３が組み付けられている場合には、ランプユニット２３を交換する際に、交換の必要がない表示パネル２も取り外さなければ交換が行えず、交換に手間がかかるという問題があった。
【００１３】
加えて、ランプユニット２３は、接続端子２７や取り付け部材２９等が設けられていることで部品点数が増加して前後方向の厚みが増してしまっている。また、光源にランプ２４を用いていることで、ランプ２４の上方に向かう光を下方へ反射する反射板２５が必要であり、加えて、ランプ２４と導光板６との距離を近づけすぎると、導光板６に入射する光束が落ちてしまうため、ランプ２４と導光板６との間を所定の距離以上離す必要があり、ランプユニット２３の高さも増し、照明器具が全体として大きなものとなってしまっている。
【００１４】
本発明は、上記事由に鑑みてなされたものであり、その目的は、光源以外の他の部品を取り外すことなく容易に光源のみの交換が行えて交換のコストを抑えることができ、更には、小型化を図った照明器具を提供することにある。
【課題を解決するための手段】
【００１５】
請求項１の発明は、中空箱型の器具本体と、導光板を有し、器具本体に設けられる第一の開口に取り付けられる表示パネルと、器具本体に設けられる第二の開口を介して器具本体内に形成される収納部と、第二の開口を介して前記収納部に着脱自在に収納されて、導光板の少なくとも一辺に光を入射する一乃至複数のＬＥＤを有するＬＥＤ基板と、第二の開口に開閉自在に設けられるカバーとを備えることを特徴とする。
【００１６】
この発明によれば、カバーを開いて光源であるＬＥＤ基板を交換するだけでＬＥＤ基板以外の他の部品を取り外すことなく容易にＬＥＤ基板のみの交換が行えて交換コストを抑えることができ、更には、ＬＥＤ基板を用いることで光源部分の部品点数を削減して小型化を図った照明器具を提供することができる。
【００１７】
請求項２の発明は、請求項１の発明において、前記カバーにＬＥＤ基板が取り付けられ、当該カバーが第二の開口に覆設した際に、ＬＥＤ基板に設けられる接続部と、器具本体に設けられる接続部とが電気的に接続されることを特徴とする。
【００１８】
この発明によれば、ＬＥＤ基板とカバーとを一体化することで、カバーで第二の開口を覆設するだけで容易にＬＥＤ基板と器具本体との接続部同士を確実に接続することができる。
【発明の効果】
【００１９】
以上説明したように、本発明では、光源以外の他の部品を取り外すことなく容易に光源の交換が行えて交換コストを抑えることができ、更には、小型化を図った照明器具を提供することができるという効果がある。
【発明を実施するための最良の形態】
【００２０】
以下、本発明の実施の形態を図面に基づいて説明する。
【００２１】
（実施形態１）
本発明の実施形態について図１〜３を用いて説明を行う。なお、図７，８に示す従来技術と共通する構造については、共通の符号を付して説明を省略する。以下、図２における上下左右を基準として上下左右方向と直交する方向を前後方向とする。
【００２２】
本実施形態における照明器具は、器具本体１Ａと、表示パネル２と、ＬＥＤ基板４（光源）と、カバー５とを備える（図１（ａ）、（ｂ）参照）。
【００２３】
器具本体１Ａは、前面に略矩形状の開口１０が形成された略矩形箱型に形成されており、当該開口１０は、表示パネル２が覆設される開口１０の下方部分（第一の開口１０ａ）と、カバー５が覆設される開口１０の上方部分（第二の開口１０ｂ）とに分けられる。そして、器具本体１Ａの開口１０の上端からは、略コの字状のつば部１１が形成されている（図２（ａ）、（ｂ）参照）。また、第二の開口１０ｂを介して器具本体１Ａの内面側上方が、ＬＥＤ基板４を収納する収納部３となっている。
【００２４】
ＬＥＤ基板４は、長尺平板状に形成され、その長手方向に沿って複数のＬＥＤ１４が並設されており、長手方向両端には、それぞれ接続部１６が設けられている（図３参照）。そして、ＬＥＤ基板４は、長手方向を器具本体１Ａの左右方向に向けて収納部３に収納され、接続部１６が器具本体１Ａの電源を供給する図示しない端子部に接続される。
【００２５】
カバー５は、左右方向に長い長尺平板上に形成され、上端には、左右方向に貫通した軸穴５ａが設けられている。そして、回転軸８が軸穴５ａを挿通して、軸穴５ａの両端から突出した回転軸８の両端部が、つば部１１の両端に形成される図示しない軸穴に軸支される。そうすることによって、カバー５が、第二の開口１０ｂの開口面に回動自在に設けられて第二の開口１０ｂを開放、閉塞する。
【００２６】
上記構成を備える本実施形態の照明器具では、光源の交換を行う際に、まず、カバー５を回動して第二の開口１０ｂを開放し、ＬＥＤ基板４（光源）の接続部１６を器具本体１Ａの図示しない端子部から取り外し、収納部３から第二の開口１０ｂを介してＬＥＤ基板４を取り出す。そして、新たなＬＥＤ基板４を第二の開口１０ｂを介して収納部３へ収納し、ＬＥＤ基板４の接続部１６を器具本体１Ａの図示しない端子部に接続するだけでＬＥＤ基板４の交換が行える。
【００２７】
以上のことから本実施形態における照明器具では、ＬＥＤ基板４（光源）以外の他の部品を取り外すことなく容易にＬＥＤ基板４のみの交換を行うことができ、ＬＥＤ基板４以外の部品をＬＥＤ基板４と一緒に交換する必要がないため交換コストを抑えることができる。
【００２８】
また、光源にＬＥＤ基板４を用いることで、図８で示す従来の光源であるランプユニット２３のように反射板２５等を必要とせず、加えて、接続端子１６がＬＥＤ基板４に一体化されていることで接続端子２７等を設ける必要がなく、光源部分の大きさを抑えることができ、小型化を図った照明器具を提供することができる。
【００２９】
加えて、器具本体１Ａの接続部に接続されるＬＥＤ基板４の接続部１６は、ＬＥＤ基板４に一体として設けられているため、従来接続部に用いられている導線３４に接続された接続端子２７と比べて強度的に強いものとなっている。
【００３０】
（実施形態２）
本発明の実施形態について図４〜６を用いて説明を行う。なお、以下、本実施形態における上下左右方向、及び前後方向は、実施形態１と共通であるものとする。
【００３１】
本実施形態と図１で示す実施形態１とで異なる点は、器具本体１Ｂの開口１０の上部に矩形状の筒部１７が形成されている点である。また、筒部１７よりも下方の器具本体１Ｂ前面には第一の開口１０ａが形成されており、筒部１７には矩形状の第二の開口２０が形成されている。そして、筒部１７に設けられた第二の開口２０は、器具本体１Ｂ内部の収納部３に通じている。更に実施形態１と異なるのは、ＬＥＤ基板４が、カバー１５と組み合わされた状態で前記筒部１７の第二の開口２０を介して収納部３に収納される点である（図５（ａ）、（ｂ）参照）。
【００３２】
カバー１５は、筒部１７の第二の開口２０に嵌合可能な寸法を有する前板１５ａと、前板１５ａの後面左右両端近傍に設けられる一対の突設部１５ｂとから構成されている。突設部１５ｂは、上下方向に所定の幅を有して前板１５ａの後面から後方へ向かって形成されており、先端部には左右外側方向に突出して先端に向かうに従って細くなる係止突部１５ｃが形成されている。
【００３３】
そして、カバー１５の突設部１５ｂの内面側には、それぞれ一対のガイド凸部１５ｄが上下方向に並設されており、当該一対のガイド凸部１５ｄ間にＬＥＤ基板４の左右両端部が各々嵌合支持される（図４参照）。
【００３４】
また、表示パネル２は、器具本体１Ｂの筒部１７よりも下方の第一の開口１０ａに覆設して取り付けられる。
【００３５】
上記構成から成る本実施形態の照明器具では、上記ＬＥＤ基板４が組み付けられたカバー１５が、第二の開口２０に挿入され、カバー１５の係止突部１５ｃが、器具本体１Ｂの左右両側面にそれぞれ形成された略矩形状の係止穴１９に係止されることで、ＬＥＤ基板４が組み付けられたカバー１５が器具本体１Ａに固定される。また、ＬＥＤ基板４の交換時には、係止穴１９から係止突部１５ｃを内部に押し込むことでカバー１５の係止状態が解除されて、カバー１５と共にＬＥＤ基板４を取り外すことができる。
【００３６】
さらに、ＬＥＤ基板４は、カバー１５が器具本体１Ｂに取り付けられると同時に、ＬＥＤ基板４の下面側左右方向両端に各々設けられた接続部１６の後面に形成されるプラグ挿入穴１６ａに、第二の開口２０の上面に設けられる接続部１３から前方に向けて突出したプラグ端子１３ａが、挿入接続される構造となっている（図６参照）。
【００３７】
よって本実施形態における照明器具では、ＬＥＤ基板４（光源）交換の際に、カバー１５を器具本体１Ｂから取り外し、当該カバー１５に組みつけられているＬＥＤ基板４を新しいＬＥＤ基板４に交換し、再度カバー１５を器具本体１Ｂに取り付けるだけで容易に光源のみの交換を行うことができ、更には、ＬＥＤ基板４の接続部１６と、器具本体１Ｂの接続部１３とを確実に接続することができる。
【００３８】
また、カバー１５は、実施形態１のような開閉可能な回動機構がないので、簡単な構造とすることができる。
【図面の簡単な説明】
【００３９】
【図１】（ａ）、（ｂ）は、実施形態１における照明器具の要部断面図を示し、（ａ）は、カバー開放時、（ｂ）は、カバー閉塞時を示す。
【図２】（ａ）、（ｂ）は、同上における照明器具の外形図を示し、（ａ）は、分解斜視図、（ｂ）は、斜視図を示す。
【図３】は、同上におけるＬＥＤ基板の斜視図を示す。
【図４】（ａ）、（ｂ）は、実施形態２において、ＬＥＤ基板をカバーへ組み付ける方法を示し、（ａ）は、組み付け前、（ｂ）は、組み付け後を示す。
【図５】（ａ）、（ｂ）は、同上において、カバーに取り付けたＬＥＤ基板を器具本体へ組み付ける際の拡大図を示し、（ａ）は、組み付け前、（ｂ）は、組み付け後を示す。
【図６】は、同上におけるＬＥＤ基板と器具本体との接続部の拡大図を示す。
【図７】（ａ）、（ｂ）は、従来例における照明器具の斜視図を示し、（ａ）は、組み立て順を示し、（ｂ）は、完成状態を示す。
【図８】（ａ）、（ｂ）は、同上におけるランプユニットの外観図を示し、（ａ）は、断面図、（ｂ）は、一部破断した分解斜視図を示す。
【図９】（ａ）、（ｂ）は、従来例における照明器具の斜視図を示し、（ａ）は、組み立て順を示し、（ｂ）は、完成状態を示す。
【符号の説明】
【００４０】
１  器具本体
２  表示パネル
３  収納部
４  ＬＥＤ基板
５  カバー
６  導光板
１０ａ  第一の開口
１０ｂ  第二の開口
１３  接続部
１４  ＬＥＤ
１６  接続部
【図１】
2010027513.tif 000003
【図２】
2010027513.tif 000004
【図３】
2010027513.tif 000005
【図４】
2010027513.tif 000006
【図５】
2010027513.tif 000007
【図６】
2010027513.tif 000008
【図７】
2010027513.tif 000009
【図８】
2010027513.tif 000010
【図９】
2010027513.tif 000011